(57)【特許請求の範囲】
【請求項１】
被洗浄物を洗浄するための一枚布の洗浄布であって、
中空状の布部材と、
前記布部材の一軸方向に配列されて縫い込まれた複数の縦糸と、
前記布部材の一面の前記複数の縦糸のうちの隣り合う２つの縦糸の１組以上に、前記２つの縦糸の間に前記一軸方向に５ｍｍ以下の間隔で架設され、前記２つの縦糸の距離よりも長い複数の横糸とを備え、
前記横糸を備える前記縦糸の組が２組以上あり、
前記横糸は、前記布部材の同一の一面に備えられ、前記縦糸の２倍の太さを有することを特徴とする、洗浄布。
【請求項２】
前記布部材の他面の前記複数の縦糸のうちの隣り合う２つの縦糸の１組以上に、前記２つの縦糸の間の前記布部材の前記同一の一面を被覆する中空の綿状体を備え、
前記綿状体は糸の間隔が前記布部材よりも狭いことを特徴とする、請求項１に記載の洗浄布。
【請求項３】
前記中空の綿状体を備える前記縦糸の組が２組以上あり、
前記中空の綿状体及び前記横糸は、全ての前記縦糸の組について前記布部材の同一の一面に備えられていることを特徴とする、請求項２に記載の洗浄布。
【請求項４】
前記布部材の一端部に該端部に沿って貫通する袋部が形成されることを特徴とする、請求項１〜３のいずれか１項に記載の洗浄布。
【発明の詳細な説明】
【技術分野】
【０００１】
本発明は、被洗浄物を洗浄するための洗浄布に関する。
【背景技術】
【０００２】
食器等の被洗浄物を洗浄する際に用いられる洗浄具は、スポンジ製のものがほとんどである。スポンジ製の洗浄具では、洗浄して食器等から除去する油脂等の汚れがスポンジの内部に残ってしまう。このため、食器等を繰り返し洗浄すると、汚れを落とす効果が薄れてしまうとともにスポンジ内の汚れが食器等に付着してしまい、洗浄された食器に匂いが残ってしまうという問題がある。
【０００３】
この問題に対して、布製の洗浄具（洗浄布と呼ぶ）が提案されている（例えば特許文献１参照）。しかし、洗浄布であっても、汚れが残ると同様の問題が生じることに変わりはない。
【先行技術文献】
【特許文献】
【０００４】
【特許文献１】実用新案登録第３０８２４９５号公報
【発明の概要】
【発明が解決しようとする課題】
【０００５】
本発明は、汚れを容易に洗い落として短時間で乾燥することのできる洗浄布を提供することを課題とする。
【０００６】
汚れは水に溶解して洗浄布（スポンジ）に残ることが多い。洗浄布自身が容易に洗浄でき、短時間で乾燥することのできるものであれば、洗浄された食器等に匂いが残ることが極めて少なくなる。
【課題を解決するための手段】
【０００７】
本発明の洗浄布は、
被洗浄物を洗浄するための一枚布の洗浄布であって、
中空状の布部材と、
前記布部材の一軸方向に配列されて縫い込まれた複数の縦糸とを備えることを特徴とする。
【０００８】
一枚の中空状の布部材より形成される洗浄布であり、汚れを洗い落として短時間で乾燥することができる。また、２枚の布の間に水や汚れが残存してしまうことがない。
一枚布を薄手のものとすることもでき、哺乳瓶やコップの内面などの洗浄具や洗浄布が届きづらい箇所も容易に洗浄することができる。
【０００９】
本発明の洗浄布は、
前記布部材の一面の前記複数の縦糸のうちの隣り合う２つの縦糸の１組以上に、前記２つの縦糸の間に前記一軸方向に５ｍｍ以下の間隔で架設され、前記２つの縦糸の距離よりも長い複数の横糸を備えることを特徴とする。
【００１０】
横糸が縦糸の距離よりも長い分の余長を有するので、中空状の布部材の粗目の間に入り、より細目となる。
【００１１】
本発明の洗浄布は、
前記横糸を備える前記縦糸の組が２組以上あり、
前記横糸は、全ての前記縦糸の組について前記布部材の同一の一面に備えられていることを特徴とする。
【００１２】
布部材の一方の面を細目に、他方の面を粗目にすることができる。
【００１３】
本発明の洗浄布は、
前記布部材の一面の前記複数の縦糸のうちの隣り合う２つの縦糸の１組以上に、前記２つの縦糸の間の前記布部材の前記同一の一面を被覆する中空の綿状体を備えることを特徴とする。
【００１４】
綿状体によっても細目を構成できる。
【００１５】
本発明の洗浄布は、
前記中空の綿状体を備える前記縦糸の組が２組以上あり、
前記中空の綿状体及び前記横糸は、全ての前記縦糸の組について前記布部材の同一の一面に備えられていることを特徴とする。
【００１６】
横糸と綿状体とを合わせて、布部材の一方の面を細目に、他方の面を粗目にすることができる。
【００１７】
本発明の洗浄布は、
前記布部材の一端部に該端部に沿って貫通する袋部が形成されることを特徴とする。
【００１８】
袋部に乾燥に際して吊下げるための紐部材を通すことができる。また、袋部を布巾掛け等に通して洗浄布を乾燥させることができる。
【発明の効果】
【００１９】
本発明の洗浄布は、汚れを容易に洗い落として短時間で乾燥することができる。
【図面の簡単な説明】
【００２０】
【図１】図１は、洗浄布の全体構成を示す図である。
【図２】図２は、洗浄布の布部の構成を示す図である。
【図３】図３は、洗浄布の袋部の構成を示す図である。
【発明を実施するための形態】
【００２１】
以下、本発明の一実施形態を、図１〜図３を用いて説明する。
【００２２】
図１は、洗浄布１の全体構成を示す図である。洗浄布１は、布部材２に縦糸３が縫い込まれた布部と、袋部６とを備えている。袋部６は、中央に切れ目６１があり、紐部材７１及び７２が挿入されている。
【００２３】
布部は、ポリプロピレン等の合成樹脂の糸を粗目に織った布部材２を用いて矩形状に構成された一枚布である。布目は例えば１〜２ｍｍ間隔の粗いものであり、布の一面から他面に水が通る中空状のものである。布部に、洗浄液を滴下し、適度に泡立てて、被洗浄物を洗浄することができる。
【００２４】
図２は、洗浄布１の布部の構成を示す図である。布部は、布部材２、複数の縦糸３、複数の横糸４及び綿状体５から構成される。
【００２５】
複数の縦糸３は、一例として布部材２に用いられるものと同じ合成樹脂の糸である。縦糸３は、例えば３〜６ｍｍの間隔を設けて図２（Ａ）の横方向に配列される。
【００２６】
複数の横糸４は、一例として縦糸３の２倍の太さの合成樹脂の糸である。複数の縦糸３のうちの隣り合う２つの縦糸３間に架設される。横糸４は、例えば２〜４ｍｍの間隔を設けて図２（Ａ）の縦方向に配列される。２つの縦糸３の距離よりも長いので、例えば図２（Ａ）に示すようにアーチ状となる。この結果、食器を洗浄する際には布部材２よりも多くの糸が食器に接し、布部材２よりも細目の布で洗浄するような効果を持つ。細目の度合いは、横糸４の長さ及び間隔によって調整可能である。
【００２７】
綿状体５は、一例として合成樹脂の糸を積層して絡ませたものである。複数の縦糸３のうちの隣り合う２つの縦糸３間に設けられ、布部材２を被覆する。綿状体５は、糸の間隔が布部材２よりも狭い（細目）である。
【００２８】
布部は多数の縦糸３を備えるが、以下、８本の縦糸３ａ〜３ｈにより説明する。他の縦糸についても同様である。
本実施形態の洗浄布１では、縦糸３ａと３ｂの間及び３ｅと３ｆの間に横糸４が架設され、縦糸３ｃと３ｄの間及び３ｇと３ｈの間に綿状体５が設けられている。縦糸間の状況は、左から順に、横糸４、布部材２（横糸４も綿状体５もない）、綿状体５、布部材２となり、これが繰り返される。
【００２９】
縦糸間の状況は、本実施形態と異なる順番や頻度であってもよい。横糸４及び綿状体５によって洗浄布１が細目になるので、いかなる細目を実現したいかに応じて、横糸４及び綿状体５の順番及び頻度を調整すればよい。
【００３０】
図２（Ｂ）に示すように、横糸４及び綿状体５は、布部材２の片面のみに設けられている。図の上側の面は横糸４及び綿状体５によって細目になり、図の下側の面は布部材２の粗目のままである。１枚布の洗浄布１の表裏で異なる目の粗さとなっている。洗浄する食器や汚れに対応して使い分けることができる。
なお、２つの面の目の粗さは、それぞれの面における横糸４及び綿状体５の順番及び頻度、横糸４の間隔及び長さによって調整可能であり、各種の設計に対応できる。
【００３１】
図３は、洗浄布１の袋部６の構成を示す図である。
袋部６は、図３（Ａ）（図１における右側面図）に示すように、布部材２の１端部（矩形の１辺）に沿って貫通し、両端は開口である。袋部６は、布部材２と同じ布製である。または布部材２を延長して袋部６を作成してもよい。（この場合、縦糸３、横糸４及び／または綿状体５を袋部が有していてもよい。）
【００３２】
袋部６は、図１に示したように、その中間に切れ目６１を有している。
【００３３】
袋部６の内部には、布部材２が突出し、紐部材７１及び７２が突出した布部材２を周回して開口から導出されている。図３（Ｂ）は図３（Ａ）のＳ線断面図であり、紐部材７１及び７２と布部材２との関係を示している。一方の開口から紐部材７１が、他方の開口から紐状体７２が、それぞれ導出されている。紐部材７１及び７２は、一例として、合成樹脂性の網紐である。
【００３４】
突出した布部材２は、袋部６の上端には達しておらず、袋部６の上部には空洞部６２が存在する。
【００３５】
以下、洗浄布１を用いた食器の洗浄と、その後の洗浄布の汚れ落とし及び乾燥について説明する。
【００３６】
食器の洗浄に当たっては、洗浄布１に液体洗剤をかけ、食器の表面を洗浄布１で拭く。この際、スポンジを用いるよりも多目の液体洗剤を使用する。洗浄する食器や汚れに対応して、洗浄布１の面を使い分ける。大型の食器や汚れの多い食器には粗目の面、小型の食器や汚れの少ない食器には細目の面を使用することができる。
【００３７】
食器の洗浄の後、洗浄布１の汚れ及び洗剤を落とす。洗浄布１は中空であり、水が透過するので、流水を掛ける、水を入れたボウルの中で揺する等によって容易に汚れ及び洗剤を落とすことができる。
【００３８】
その後、洗浄布１を乾燥させる。空洞部６２に布巾掛けを通すことで、洗浄布１が拡げられた状態で干すことができる。また、布巾掛けを使用しない場合には、切れ目６１から紐部材７１及び７２を引き出してクリップ等に止めることもできる。更に乾燥させるための空間を小さくしたい場合には、紐部材７１及び７２を袋部６の空洞から引き出すと、布部材２が紐部材７１及び７２によって圧縮され、コンパクトに干すことができる。
【００３９】
以上のいずれの干し方であっても、洗浄布１が中空であって乾燥が速く、短時間で乾燥させることができる。朝食と昼食の間、昼食と夕食の間（いずれも３時間以上と考えられる）に乾燥させることができ、１枚の洗浄布１を繰り返し使用しても、洗浄された食器に匂いが残ってしまうという問題がない。
【産業上の利用可能性】
【００４０】
本発明の洗浄布は、汚れを容易に洗い落して短時間で乾燥するものであり、多くの個人（特に主婦）による利用が期待される。
【符号の説明】
【００４１】
１    洗浄布
２    布部材
３    縦糸
４    横糸
５    綿状体
６    袋部
６１  切れ目
６２  空洞部
７１  紐部材
７２  紐部材 
【図１】
0005975540.tif 000002
【図２】
0005975540.tif 000003
【図３】
0005975540.tif 000004